(57)【特許請求の範囲】
【請求項１】
複数の被監視装置を伝送路により接続したネットワークの前記被監視装置を監視装置によって監視する監視システムに於いて、
前記監視装置と前記被監視装置との何れか一方又は両方は、送出する情報に識別情報格納部を設け、該識別情報格納部に前記情報のフォーマットを示すフォーマット識別子を設定して送出し、受信情報の前記識別情報格納部に設定した前記フォーマット識別子を基に、該受信情報の処理機能を選択する構成とを備えると共に前記被監視装置は、前記監視装置からのコマンドに対して実行不可の判定時に、実行可能の装置版数等を示すフォーマット識別子を、前記コマンドに対する応答情報の識別情報格納部に設定して、前記監視装置に送出する構成を備えた
ことを特徴とする監視システム。
【請求項２】
ネットワークの複数の被監視装置を監視する監視装置に於いて、
前記被監視装置との間の情報の送受信を行う通信処理部と、
該通信処理部を介して前記被監視装置に対してコマンドを送信するコマンド送信部と、
前記通信処理部を介して前記被監視装置からの被監視装置番号と識別情報格納部と詳細情報とを含む情報を受信処理する受信処理部と、
表示部に前記被監視装置からの情報を処理して表示させる複数の表示処理機能を有する表示処理部と、
前記受信処理部からの情報に含まれ前記識別情報格納部に設定したフォーマット識別子を基に、前記表示処理部の表示処理機能を選択する表示処理判断部と
を備えたことを特徴とする監視装置。
【請求項３】
前記コマンド送信部から前記被監視装置に送出するコマンドに識別情報格納部を設け、該識別情報格納部に設定するフォーマット識別子を管理する識別情報管理部を設けたことを特徴とする請求項２記載の監視装置。
【請求項４】
前記表示処理判断部は、前記被監視装置からの受信情報の識別情報格納部に設定されたフォーマット識別子の通知種別毎に、版数と表示処理機能とを対応させた表示処理部判断テーブルを備えたことを特徴とする請求項２記載の監視装置。
【請求項５】
ネットワークの複数の被監視装置を監視装置によって監視する監視方法に於いて、
前記監視装置と前記被監視装置との何れか一方又は両方から送出する情報に識別情報格納部を設け、該識別情報格納部に前記情報のフォーマットを示すフォーマット識別子を設定して送出する過程と、
前記監視装置は、前記被監視装置からの受信情報の識別情報格納部に設定されたフォーマット識別子を基に、表示処理機能を選択して受信情報を処理し、処理結果による前記被監視装置からの受信情報の内容を表示部に表示する過程と
を含むことを特徴とする監視方法。
【請求項６】
前記被監視装置は、前記監視装置からのコマンドが実行不可の場合に、実行可能のコマンドのフォーマットを示すフォーマット識別子を、応答情報の識別情報格納部に設定して前記監視装置へ送出する過程を含むことを特徴とする請求項５記載の監視方法。
【発明の詳細な説明】
【０００１】
【発明の属する技術分野】
本発明は、各種ネットワークを構成する交換機，伝送装置等のノードを被監視装置とし、この被監視装置を監視装置により監視する監視システム及び監視装置及び監視方法に関する。
監視装置は、被監視装置に対してコマンドを発行し、このコマンドの実行結果の状態情報、或いは、被監視装置に於ける障害発生検出による状態情報を受信処理するものである。又ネットワークが大規模になるに伴って、各種の被監視装置が設けられることになり、監視装置は、それぞれの被監視装置に対応した監視処理を行うことが必要となる。又複数の監視装置により複数の被監視装置を分担して、或いは重複して監視する監視システムも知られており、多種多様な監視装置及び被監視装置が混在している場合も、容易に監視処理を可能とすることが要望されている。
【０００２】
【従来の技術】
図１７は従来例の監視システムの説明図であり、１０１は監視装置、１０１ａは表示画面、１０２−１〜１０２−３は被監視装置１〜３、１０３は伝送路を示す。リング状の伝送路１０３と３台の被監視装置１０２−１〜１０２−３とによるネットワークに対して、図示を省略した経路で接続した監視装置１０１が設けられている。なお、伝送路１０３はネット状やスター状等の各種の形態があり、又被監視装置も更に多数設けられるものであるが、簡略化の為にリング状の伝送路１０３と３台の被監視装置１０２−１〜１０２−３とを示している。
【０００３】
又監視装置１０１の表示画面１０１ａに、ネットワークの構成と共に、被監視装置番号（被監視装置１，被監視装置２，被監視装置３）対応に状態情報を表示した場合を示す。例えば、被監視装置１０２−１からの状態情報が、送信装置を示す“被監視装置１”，詳細情報の“運用：通常”，“障害：軽度”，・・・“制御：なし”の場合、表示画面１０１ａには、この状態情報に対応して、「被監視装置１」の領域に、「運用：通常」，「障害：軽度」，・・・「制御：なし」が表示される。監視装置１０１のオペレータは、障害が軽度の場合であるが、詳細情報を被監視装置１０２−１に要求することもできる。
【０００４】
同様に、被監視装置１０２−２からの状態情報に対応して、表示画面１０１ａの「被監視領域２」の領域に表示される。この場合、“障害：重度”の状態情報に従って表示されるから、監視装置１０１のオペレータは、詳細情報の要求や、障害個所の探索，修復の為のコマンド発行等を行うことになる。又被監視装置１０２−３は、被監視装置１０２−１，１０２−２と装置処理部版数等が異なり、状態情報の項目の順序が、運用，制御，障害となる場合、“制御：あり”を「障害：あり」として表示し、又“障害：なし”を「制御：なし」として表示することになる。即ち、誤表示となる。
【０００５】
図１８は従来例の監視システムのコマンドの説明図であり、例えば、被監視装置１０２−１の装置処理部版数がＶ０２、被監視装置１０２−２の装置処理部版数がＶ０２、被監視装置１０２−３の装置処理部版数がＶ０１の場合に、装置版数Ｖ０２の監視装置１０１−１からのコマンドＡは、パラメータ１〜３からなり、同一の版数Ｖ０２の被監視装置１０２−１，１０２−２は実行可能となるが、被監視装置１０２−３は、被監視装置１０２−１，１０２−２とは装置処理部版数がＶ０１で異なり、Ｖ０２に対して旧版に属することから、実行不可となる場合を示している。
【０００６】
又装置版数Ｖ０１の監視装置１０１−２からのコマンドＡは、パラメータ１，２からなり、装置版数Ｖ０２の監視装置１０１−１からのコマンドＡとは、パラメータ構成が相違する場合、装置処理部版数Ｖ０１の被監視装置１０２−３では実行可能であるが、装置処理部版数Ｖ０２の被監視装置１０２−１，１０２−２では実行不可となる場合を示している。
【０００７】
【発明が解決しようとする課題】
従来例の監視システムに於ける監視装置１０１は、定型のフォーマットのコマンドを送出する機能を備えると共に、被監視装置１０２−１〜１０２−３から定型のフォーマットの状態情報を受信処理して表示するものである。従って、ネットワークの規模の拡大に伴って増設された交換機，伝送装置等の被監視装置の装置処理部版数が異なる場合、監視装置１０１からのコマンドに対する正しい実行ができないことになる。又被監視装置からの状態情報についても正しく表示できないことから、この被監視装置の監視処理ができない問題があった。
【０００８】
そこで、監視装置１０１で取り扱うフォーマットに対応するように、被監視装置にフォーマット変換機能を設けることが考えられる。しかし、多数の被監視装置がそれぞれ異なる装置処理部版数等の場合、複数の被監視装置対応のフォーマット変換機能を設けることになり、コストアップとなる問題がある。更に、複数の監視装置でネットワークを監視するシステムを構成した場合、監視装置の装置版数の相違について各被監視装置では対応できないことになる。
本発明は、各種の被監視装置が混在していても、監視装置との間で正しい情報の送受信による処理を可能とすることを目的とする。
【０００９】
【課題を解決するための手段】
本発明の監視システムは、（１）複数の被監視装置２−１〜２−３を伝送路３により接続したネットワークの前記被監視装置を監視装置１によって監視する監視システムであって、監視装置１と被監視装置２−１〜２−３との何れか一方又は両方は、送出する情報に識別情報格納部を設け、この識別情報格納部に情報のフォーマットを示すフォーマット識別子を設定して送出し、受信情報の識別情報格納部に設定した前記フォーマット識別子を基に、受信情報の処理機能を選択する構成とを備えると共に被監視装置２−１〜２−３は、監視装置１からのコマンドに対して実行不可の判定時に、実行可能の装置版数等を示すフォーマット識別子を、前記コマンドに対する応答情報の識別情報格納部に設定して、監視装置１に送出する構成を備えている。
【００１０】
又（２）被監視装置は、監視装置からのコマンドに対して実行不可の判定時に、実行可能の装置版数等を示すフォーマット識別子を、コマンドに対する応答情報の識別情報格納部に設定して、監視装置に送出する構成を備えることができる。
【００１１】
又（３）監視装置は、被監視装置に対するコマンドに識別情報格納部を設け、この識別情報格納部にフォーマット識別子を設定して送出し、被監視装置は、フォーマット識別子に従ったフォーマットの情報を形成して監視装置に送出する構成を備えることができる。
【００１２】
又本発明の監視装置は、（４）ネットワークの複数の被監視装置を監視する監視装置であって、被監視装置との間の情報の送受信を行う通信処理部と、この通信処理部を介して被監視装置に対してコマンドを送信するコマンド送信部と、通信処理部を介して被監視装置からの被監視装置番号と識別情報格納部と詳細情報とを含む情報を受信処理する受信処理部と、表示部に被監視装置からの情報を処理して表示させる複数の表示処理機能を有する表示処理部と、受信処理部からの情報に含まれ識別情報格納部に設定したフォーマット識別子を基に、表示処理部の表示処理機能を選択する表示処理判断部とを備えている。
【００１３】
又（５）コマンド送信部から被監視装置に送出するコマンドに識別情報格納部を設け、この識別情報格納部に設定するフォーマット識別子を管理する識別情報管理部を設けることができる。
【００１４】
又（６）表示処理判断部は、被監視装置からの受信情報の識別情報格納部に設定されたフォーマット識別子の通知種別毎に、版数と表示処理機能とを対応させた表示処理部判断テーブルを備えることができる。
【００１５】
又本発明の監視方法は、（７）ネットワークの複数の被監視装置を監視装置によって監視する監視方法であって、監視装置と被監視装置との何れか一方又は両方から送出する情報に識別情報格納部を設け、この識別情報格納部に、情報のフォーマットを示すフォーマット識別子を設定して送出する過程を含むものである。
【００１６】
又（８）監視装置は、被監視装置からの受信情報の識別情報格納部に設定されたフォーマット識別子を基に、表示処理機能を選択して受信情報を処理し、処理結果による被監視装置からの情報の内容を表示部に表示する過程を含むものである。
【００１７】
又（９）被監視装置は、監視装置からのコマンドを実行し、このコマンドの識別情報格納部に設定されたフォーマット識別子に従ったフォーマットで実行結果の情報を監視装置へ送出する過程を含むことができる。
【００１８】
又（１０）被監視装置は、監視装置からのコマンドが実行不可の場合に、実行可能のコマンドのフォーマット識別子を、応答情報の識別情報格納部に設定して監視装置へ送出する過程を含むことができる。
【００１９】
【発明の実施の形態】
図１は本発明の実施の形態の説明図であり、１は監視装置、１ａは表示画面、２−１〜２−３は被監視装置、３は伝送路を示す。又監視装置１は、図１７に示す従来例と同様に、ネットワークを構成する被監視装置２−１〜２−３と図示を省略した伝送路で相互に通信を可能とした構成を有するものである。
【００２０】
被監視装置２−１〜２−３は、状態変化発生に伴って監視装置１に状態情報を送信するものであり、図２の状態情報として示すように、被監視装置番号と、フォーマット識別子を設定する識別情報格納部と、詳細情報とによって、監視装置１へ送出する状態情報を構成する。フォーマット識別子は、情報のフォーマットを示すもので、例えば、装置版数とすることができる。或いはプログラムの版数とすることもできる。
【００２１】
例えば、被監視装置２−１の装置処理部版数がＶ０２の場合、被監視装置２−１から監視装置１へ送出する情報のフォーマットとして、被監視装置番号、フォーマット識別子Ｆ、詳細情報として、運用，障害，・・・制御を含む場合、被監視装置番号に“被監視装置１”を設定し、識別情報格納部に、フォーマット識別子ＦはＶ０２であることを示す“Ｆ：Ｖ０２”を設定し、詳細情報として、“運用：通常”，“障害：軽度”，・・・“制御：なし”を設定して監視装置１に送出する。
【００２２】
又被監視装置２−２は、Ｖ０２の場合、被監視装置番号に“被監視装置２”を設定し、識別情報格納部に“Ｆ：Ｖ０２”を設定し、詳細情報として、“運用：通常”，“障害：重度”，・・・“制御：あり”を設定して監視装置１に送出する。又被監視装置２−３は、装置処理部版数がＶ０１の場合、被監視装置番号に“被監視装置３”を設定し、識別情報格納部に“Ｆ：Ｖ０１”を設定し、詳細情報として、“運用：通常”，“制御：あり”，“障害：なし”を設定して監視装置１に送出する。
【００２３】
監視装置１は、被監視装置２−１〜２−３からの状態情報を受信し、被監視装置番号により状態情報を送信した被監視装置を認識し、識別情報格納部のフォーマット識別子に対応して詳細情報の処理を行うことにより、表示画面１ａに被監視装置番号対応にその状態を表示するものである。例えば、被監視装置２−１，２−２は、同一のフォーマット識別子（Ｆ：Ｖ０２）であり、表示画面１ａには、被監視装置番号の「被監視装置１」，「被監視装置２」対応に詳細情報の内容を表示することができる。
【００２４】
又被監視装置２−３は、フォーマット識別子（Ｆ：Ｖ０１）で、図示のような状態情報の詳細情報の順序が異なる。しかし、監視装置１は、フォーマット識別子（Ｆ：Ｖ０１）により、被監視装置２−１，２−２からの状態情報とは異なることを識別でき、且つ版数Ｖ０１に従った表示処理を行うことにより、被監視装置番号の「被監視装置３」の領域に、詳細情報に従って「運用：通常」，「障害：なし」、・・・「制御：あり」として表示することができる。
【００２５】
図３は本発明の実施の形態のコマンド処理の説明図であり、図１と同一符号は同一部分を示し、被監視装置２−１〜２−３の装置処理部版数も、図１の場合と同一として説明する。監視装置１から被監視装置に対するコマンドが、被監視装置番号とコマンド内容とを含む場合を示し、被監視装置から監視装置１へのコマンド実行結果の情報は、図２の状態情報と同様に、被監視装置番号と、識別情報格納部と、詳細情報とを含む構成とする。
【００２６】
即ち、監視装置１が被監視装置の状態情報を収集する場合、状態収集コマンドを発行するもので、例えば、被監視装置２−１に対して監視装置１から被監視装置番号として“被監視装置１”を付加した状態収集コマンドを送出すると、被監視装置２−１は、被監視装置番号と、識別情報格納部と、詳細情報とを含むコマンドの実行結果の情報を監視装置１に送出する。
【００２７】
又監視装置１が被監視装置２−３に対して状態収集コマンドを発行した場合、被監視装置２−３は、このコマンドを実行して、被監視装置番号と、識別情報格納部と、詳細情報とを含む実行結果情報を、図１に示す場合と同様なフォーマットで監視装置１に送出する。監視装置１は、被監視装置２−３からの受信情報の識別情報格納部に設定されたフォーマット識別子（Ｆ：Ｖ０１）を基に、図１について説明した場合と同様に処理して、表示画面１ａに、収集した状態情報に従った内容を表示することができる。なお、被監視装置２−２からの状態情報を収集してない場合、被監視装置２−２対応の領域には、例えば、項目のみ表示されている。
【００２８】
図４は本発明の他の実施の形態のコマンド処理の説明図であり、図１と同一符号は同一部分を示す。この実施の形態は、監視装置１から送出するコマンドを、図２のコマンドとして示すように、被監視装置番号と、識別情報格納部と、コマンド種別やパラメータを含む構成とし、例えば、監視装置１の版数がＶ０２の場合、被監視装置２−１に対しては、被監視装置番号を“被監視装置１”，識別情報格納部に設定するフォーマット識別子を“Ｒ：Ｖ０２”，コマンド種別を“状態収集コマンド”としたコマンドを送出する。
【００２９】
被監視装置２−１は、このコマンドを実行して、被監視装置番号と、詳細情報とを含む実行結果情報を送出する。監視装置１は、この実行結果情報を受信処理して、表示画面１ａに、被監視装置番号「被監視装置１」対応に表示する。又被監視装置２−１の版数Ｖ０２と異なる版数Ｖ０１の被監視装置２−２に於いては、前述と同様に“被監視装置３”を被監視装置番号として設定し、且つフォーマット識別子として“Ｒ：Ｖ０２”を識別情報格納部に設定し、状態収集コマンドをコマンド種別とし設定したコマンドを受信すると、フォーマット識別子（Ｒ：Ｖ０２）に対応した実行結果情報を作成して監視装置１に送出する。
【００３０】
即ち、被監視装置２−３は、状態情報の詳細情報として、“運用”，“制御”，“障害”の順序であるが、監視装置１からのコマンドの識別情報格納部に設定されたフォーマット識別子（Ｒ：Ｖ０２）に対応して、詳細情報は、“運用”，“障害”，・・・“制御”の順序に変更した詳細情報を作成する。この場合、監視装置１は、収集した状態情報が同一のフォーマットとなるから、同一の処理に従って表示画面１ａに表示することができる。
【００３１】
図５は本発明の更に他の実施の形態のコマンド処理の説明図であり、図１と同一符号は同一部分を示す。この実施の形態は、被監視装置に於いて、監視装置１からのコマンドを実行できない時に、自被監視装置でサポートしているフォーマットを監視装置１に通知するものである。なお、監視装置１は、被監視装置番号と、識別情報格納部と、コマンド種別と、パラメータとを含むコマンドを送出するものである。
【００３２】
例えば、被監視装置２−１，２−３に、それぞれの被監視装置番号と、フォーマット識別子（Ｃ：Ｖ０３）と、コマンドＡのコマンド種別と、パラメータ１，パラメータ２とを含むコマンドを送出した場合、被監視装置２−３は、このコマンドＡをサポート可能とすると、コマンド実行が正常終了の場合、被監視装置番号“被監視装置３”と“正常終了”とを含む実行結果情報を監視装置１に送出する。
【００３３】
又被監視装置２−１は、このコマンドＡをサポートしていない場合、サポートしているフォーマット識別子（Ｓ：Ｖ０２）を識別情報格納部に設定し、詳細情報として異常終了を設定し、被監視装置番号“被監視装置１”を含む実行結果情報を監視装置１に送出する。
【００３４】
監視装置１は、コマンドに対する被監視装置２−１，２−２からの実行結果情報により、表示画面１ａに、「被監視装置１：コマンドＡ異常終了」，「被監視装置２：コマンドＡ正常終了」が表示され、異常終了の実行結果情報の識別情報格納部を基に、このフォーマット識別子（Ｓ：Ｖ０２）に従ったコマンドを形成して、被監視装置２−１に送出することができる。即ち、監視装置１に対してサポートできるコマンドのフォーマットを示すフォーマット識別子を通知することにより、監視装置１は、多種類の被監視装置に対してもそれぞれサポートしている形態のコマンドを発行することができる。
【００３５】
図６は本発明の実施の形態のフォーマットの説明図であり、（Ａ）は識別情報格納部と、シーケンス番号と、詳細情報として、ノード概要状態、ノード詳細状態、シェルフ詳細、その他を含み、識別情報格納部に設定するフォーマットＩＤ（識別子）＝０ｘ１１００又は０ｘ１１０１とした場合のもので、０ｘ（ｘ＝１，２，３，・・・）は種別情報、１１００及び１１０１は版数情報を示す。この場合、通知種別と装置版数とを含めてフォーマットＩＤ（識別子）とした場合を示す。又ノードは交換機や伝送装置等の被監視装置を示し、又シェルフは、例えば、１５０Ｍｂｐｓの多重化処理を行うノードに於いて、５０Ｍｂｐｓ毎に処理するシェルフの状態を示すことができる。
【００３６】
又（Ｂ）は、識別情報格納部に設定するフォーマットＩＤ（識別子）＝０ｘ１２００とした場合もので、種別情報０ｘと版数情報１２００とを含む場合を示し、又シーケンス番号と、ノード概要状態と、ノード詳細状態とを含むフォーマットである。又（Ｃ）は、フォーマットＩＤ（識別子）＝０ｘ１３００とした場合のもので、（Ａ）と大きい項目については類似したものとなる。なお、後述のように、詳細な項目についてはフォーマットＩＤ（識別子）の相違に伴って相違するものである。
【００３７】
図６の（Ａ）のフォーマット（フォーマットＩＤ＝０ｘ１１００）に於けるノード概要状態とノード詳細状態とは、図７に示す構成を有するものである。即ち、共通部と、多重部と、ブランチ部とから構成され、ノード概要状態の共通部は、ノードアドレスと、ノードタイプと、ノード動作状態等を含み、多重部は、シェルフ監視、シェルフ位置、障害情報、クロック状態、伝送路障害、予備を含み、ブランチ部は、シェルフ監視、シェルフ位置、クロック状態、障害情報、予備、伝送路障害情報、予備を含むものである。
【００３８】
又ノード詳細情報の共通部は、ソフトウェア版数と、ライブラリ版数と、ユーティリティ版数等とを含み、多重部は、試験制御、予備、クロック運用状態、ＭＵＸ（多重部）運用状態、交絡指示状態を含み、ブランチ部は、試験制御、予備、クロック運用制御、ブランチ運用制御、予備、交絡制御、交絡バイパス制御、交絡指示状態を含むものである。
【００３９】
又図６の（Ｃ）のフォーマット（フォーマットＩＤ＝０ｘ１３００）に於けるノード概要状態とノード詳細情報とは、図８に示す構成を有するものである。即ち、ノード概要状態の共通部は、図７に示すノード概要状態の共通部と同様であるが、多重部は、シェルフ監視の予備、シェルフ位置の予備、クロック状態の予備、障害情報、伝送路障害の予備、予備を含み、又ブランチ部は  、シェルフ監視、シェルフ位置、クロック状態、障害情報、予備、伝送路障害情報、予備を含むものである。
【００４０】
又ノード詳細状態の共通部は、図７に示すノード詳細情報の共通部と一部相違するが大体は類似した項目を含み、又多重部は、試験制御、予備、クロック運用制御の予備、ＭＵＸ運用制御の予備、予備を含み、図７に示すノード詳細情報の多重部とは相違したものとなる。又ノード詳細情報のブランチ部は、図７に示すノード詳細情報のブランチ部と同一となる。
【００４１】
前述のように、フォーマットＩＤ（識別子）の相違に伴ってフォーマットの項目の順序や個数等が相違することになる。しかし、本発明に於いては、前述のように、フォーマット識別子を識別情報格納部に設定して伝送することにより、受信側に於いて、フォーマット識別子に従った受信処理を行うことができる。又サポートしていないコマンドを受信した場合には、送信側の監視装置１に対して、サポート可能のフォーマット識別子を通知すことにより、監視装置１は、実行可能のフォーマットのコマンドを形成して送出することができる。
【００４２】
図９は本発明の実施の形態の監視装置の説明図であり、監視装置１の要部を示し、１１は通信処理部、１２はコマンド送信部、１３は受信処理部、１４は通知周期監視部、１５は表示処理判断部、１６は識別情報管理部、１７は表示処理部、１８は表示部、１９は識別情報テーブル、２０は表示処理部判断テーブルを示す。表示処理部１７は、複数の表示処理１〜ｘの機能を備えている。これらの表示処理１〜ｘは、フォーマット識別子に対応して選択されるそれぞれ異なる表示処理機能を示す。
【００４３】
表示処理判断部１５の表示処理部判断テーブル２０は、例えば、図１０の（Ａ）又は（Ｂ）の構成とすることができるものであり、（Ａ）は、表示処理部の表示処理１〜ｘと、版数Ｖ０１，Ｖ０２，・・・との対応を格納した場合を示し、又（Ｂ）は、通知種別１〜Ｚ対応に表示処理１１〜１ｘ，２１〜２ｘ，・・Ｚ１〜Ｚｘと版数との対応を格納した場合を示す。
【００４４】
被監視装置から、図２の状態情報として示すように、被監視装置番号と、識別情報格納部と、詳細情報とを含むフォーマットで受信すると、通信処理部１１を介して受信処理部１３に転送し、識別情報格納部の識別情報（フォーマット識別子）と、詳細情報とを転送し、又通知周期監視部１４に受信通知を行う。この通知周期監視部１４は、所定の周期で被監視装置を監視する為のものであり、例えば、所定周期内に何らかの状態情報を受信できない場合、その被監視装置が正常であるか否かを確認する為にコマンドを発行するように、コマンド送信部１２に要求する。
【００４５】
コマンド送信部１２は、コマンド発行要求に対して、コマンドを発行する被監視装置番号と、識別情報管理部１６からの識別情報（フォーマット識別子）と、状態収集コマンドとを含むフォーマットのコマンドを発行する。このコマンドに対する応答情報が得られない場合、通知周期監視部１４は、表示処理部１７に被監視装置番号と応答なしとを通知し、表示部１８の当該被監視装置対応の領域に無応答の表示を行う。或いは、重大障害としてアラーム表示を行うことができる。
【００４６】
又表示処理判断部１５は、受信情報の識別情報格納部に設定されたフォーマット識別子を基に、表示処理部判断テーブル２０を参照して、表示処理部１７に於ける表示処理１〜ｘを選択し、選択した表示処理機能によって詳細情報の表示処理を行い、表示部１８に詳細情報を表示する。従って、各種の被監視装置がネットワークに混在していることにより、各種のフォーマットの情報を受信しても、フォーマット識別子に対応した表示処理を選択することにより、表示部１８に正しい表示を行うことができる。なお、識別情報管理部１６の識別情報テーブル１９は、バージョンアップ等の処理に伴って内容の更新や追加を行うものである。又表示処理部判断テーブル２０についてもシステム拡張に伴って表示処理機能とフォーマット識別子とを対応関係を追加，修正することができるものである。
【００４７】
図１１は本発明の実施の形態の被監視装置の説明図であり、被監視装置２の要部を示し、２１は通信処理部、２２は通知処理部、２３はコマンド受信部、２４はコマンド処理部、２５は識別情報管理部、２６は状態変化検出処理部を示す。又コマンド処理部２４は、複数のコマンドＡ，Ｂ，Ｃ，・・・Ｘ対応の処理機能を備えている。
【００４８】
状態変化検出処理部２６は、障害等の状態変化を検出した時、通知処理部２２に状態変化の情報と共に状態情報の通知要求を行う。通知処理部２２は、識別情報管理部２５から識別情報（フォーマット識別子）と、自被監視装置番号とを付加した状態情報を形成し、通信処理部２１から監視装置１に対して送信する。この識別情報管理部２５は、バージョンアップ等により更新又は追加の処理を行うものである。
【００４９】
又監視装置１からのコマンドを通信処理部２１を介してコマンド受信部２３が受信すると、コマンド処理部２４にコマンドを転送する。コマンド処理部２４は、受信コマンドがコマンドＡの場合、コマンドＡの処理機能を選択してコマンドを実行し、実行結果情報を通知処理部２２に転送する。通知処理部２２は、識別情報管理部２５から識別情報（フォーマット識別子）と、実行結果情報と、被監視装置番号とを付加した通知情報を形成し、通信処理部２１から監視装置１に対して送信する。
【００５０】
図１２は本発明の実施の形態の監視装置の表示処理のフローチャートを示し、監視装置１の受信処理部１３は、被監視装置からの障害発生検出に伴った状態情報や、コマンド実行結果の応答情報等の通知情報を受信したか否かを判断し（Ａ１）、通知情報を受信した時は、その通知情報の識別情報格納部に設定されたフォーマット識別子（識別情報）を受信処理部１３により抽出し、表示処理判断部１５の表示処理部判断テーブル２０（図１０の（Ａ）又は（Ｂ）参照）を検索する（Ａ２）。
【００５１】
表示処理部判断テーブル２０の識別情報をＳｍ（ｍ＝１，２，３・・・）、受信した識別情報をＦｎとすると、順次或いは並列的にＳ１＝Ｆｎ，Ｓ２＝Ｆｎ，Ｓ３＝Ｆｎ，・・・の比較を行い（Ａ３）〜（Ａ６）、Ｓ１＝Ｆｎの場合は、表示処理部１７の表示処理１を実行する（Ａ７）。同様に、Ｓ２＝Ｆｎの場合は表示処理２を実行し（Ａ８）、Ｓ３＝Ｆｎの場合は表示処理３を実行し（Ａ９）、又Ｓｍ＝Ｆｎの場合は表示処理ｍを実行する（Ａ１０）。
【００５２】
又総て一致しない場合は、表示処理ｘ、即ち、伝送誤り等により処理できない情報であるから、異常終了処理を実行し（Ａ１１）、ＮＧ表示を行う。即ち、受信情報の識別情報格納部に設定されたフォーマット識別子に対応した表示処理機能を選択することにより、詳細情報等を正しく表示することができる。
【００５３】
図１３は本発明の実施の形態の通知種別を含む通知情報の表示処理フローチャートを示し、図１０の（Ｂ）の表示処理部判断テーブルを用いる場合を示す。即ち、被監視装置からの通知情報の受信の有無を判定し（Ｂ１）、受信した場合は、通知種別を基に表示処理部判断テーブル２０を検索する（Ｂ２）。
【００５４】
表示処理部判断テーブル２０の通知種別をＫｚ、通知情報の通知種別をＴｎとすると、順次或いは並列的にＫ１＝Ｔｎ，Ｋ２＝Ｔｎ，Ｋ３＝Ｔｎ，・・・Ｋｚ＝Ｔｎの比較を行い（Ｂ３）〜（Ｂ６）、それぞれ一致した時に、通知種別１〜Ｚの処理を行う（Ｂ７）〜（Ｂ１０）。又該当種別がない場合は、ＮＧ処理を行う（Ｂ１１）。なお、図示を省略しているが、通知種別１〜Ｚの処理のステップ（Ｂ７）〜（Ｂ１０）に於いて、通知情報のフォーマット識別子（識別情報）と、表示処理部判断テーブル２０とについて、図１２に示す処理と同様な処理によって、表示処理１１〜１ｘ，２１〜２ｘ，・・・Ｚ１〜Ｚｘを選択し、受信情報の表示を行うものである。
【００５５】
図１４は本発明の他の実施の形態の被監視装置の説明図であり、図１１と同一符号は同一部分を示し、２７は通知情報編集部である。この通知情報編集部２７は、状態変化検出処理部２６に於いて障害発生等の状態変化を検出した時の検出情報、又はコマンド処理部２４のコマンド実行結果情報等に従って通知情報を編集するもので、通知処理部２２は、この通知情報編集部２７からの情報に、識別情報管理部２５からの識別情報（フォーマット識別子）と被監視装置番号とを付加し、通信処理部２１から監視装置へ送出する。
【００５６】
又監視装置からのコマンドをサポートできないことをコマンド受信部２３又はコマンド処理部２４に於いて判断すると、通知情報編集部２７に通知情報の編集を要求する。通知情報編集部２７は、異常終了の情報を通知情報として通知処理部２２に転送する。通知処理部２２は、前述のように、識別情報管理部２５からの識別情報（フォーマット識別子）と被監視装置番号とを付加し、通信処理部２１から監視装置へ送出する。従って、監視装置は、先に送出したコマンドが実行不可能であるが、通知情報に含まれる識別情報（フォーマット識別子）に対応したフォーマットのコマンドであれば実行可能であることを認識できる。そこで、コマンドの再発行を行うことができる。
【００５７】
図１５は本発明の実施の形態の被監視装置のコマンド処理のフローチャートを示し、コマンド受信の有無を判定し（Ｃ１）、受信した場合は、受信コマンドの種別を判定する（Ｃ２）。コマンド種別が、コマンドＡ，Ｂ，・・・・であるから否かを判定する（Ｃ３），（Ｃ４）。
【００５８】
コマンドの識別情報をＣｎ、被監視装置に於いて実行可能の識別情報（フォーマット識別子）をＬ１〜Ｌｍとすると、コマンドＡの場合、Ｌ１＝Ｃｎか否かを判定し（Ｃ５）、Ｌ１＝Ｃｎの場合、処理Ａ１を実行する（Ｃ６）。又Ｌｍ＝Ｃｎか否かを判定し（Ｃ７）、Ｌｍ＝Ｃｎの場合は、処理Ａｍを実行する（Ｃ８）。
【００５９】
又コマンドＢの場合も、同様に、Ｌ１＝Ｃｎか否かを判定し（Ｃ９）、Ｌ１＝Ｃｎの場合、処理Ｂ１を実行する（Ｃ１０）。又Ｌｍ＝Ｃｎか否かを判定し（Ｃ１１）、Ｌｍ＝Ｃｎの場合は、処理Ｂｍを実行する（Ｃ１２）。それぞれのコマンドＡ，Ｂ，・・・について前述のような判定結果に従った処理を実行し、その実行結果を通知情報に設定する（Ｃ１４）。この実行結果を設定した通知情報は、監視装置へ送出される。
【００６０】
又前述の判断の処理ステップ（Ｃ３），（Ｃ４），（Ｃ５），（Ｃ７），（Ｃ９），（Ｃ１１）等に於いて該当無しとなった場合、該当コマンド無しとし（Ｃ１３）、異常終了結果を通知情報に設定する（Ｃ１４）。この場合の通知情報も監視装置へ送出され、監視装置は再実行或いは識別情報（フォーマット識別子）の変更を行ってコマンドを再発行することになる。
【００６１】
図１６は本発明の実施の形態の被監視装置のコマンド処理のフローチャートを示し、コマンドを受信した被監視装置が、このコマンドを実行できない時に、実行可能のフォーマット識別子と版数情報とを監視装置に通知する場合を示す。即ち、コマンド受信か否かを判定し（Ｄ１）、コマンド受信の場合は、受信コマンド種別を判定し（Ｄ２）、コマンドＡ，Ｂ，・・・か否かを判定する（Ｄ３），（Ｄ４）。
【００６２】
例えば、コマンドＡの場合、Ｌ１＝Ｃｎか否かを判定し（Ｄ５）、Ｌ１＝Ｃｎの場合、処理Ａ１を実行し（Ｄ７）、その実行結果を通知情報に設定する（Ｄ８）。Ｌ１〜Ｌ（ｍ−１）＝Ｃｎでない場合は、Ｌｍ＝Ｃｎか否かを判定し（Ｄ６）、Ｌｍ＝Ｃｎの場合は、処理Ａｍを実行し（Ｄ９）、その実行結果を通知情報に設定する（Ｄ１０）。Ｌｍ＝Ｃｎでない場合、コマンドＡについて処理を実行できない場合であるから、処理可能の識別情報を通知情報に設定し（Ｄ１１）、異常終了を詳細情報に設定し（Ｄ１２）、監視装置へ送出する。
【００６３】
従って、監視装置は、異常終了の通知情報に、被監視装置の実行可能なフォーマット識別子（識別情報）を判別して、実行可能のフォーマットとしたコマンドを再発行することができる。又受信コマンドの種別に該当がない場合、エラー処理を実行し（Ｄ１３）、その実行結果を通知情報に設定して（Ｄ１４）、監視装置へ送出する。
【００６４】
本発明は、前述の各実施の形態のみに限定されるものではなく、種々付加変更することが可能であり、又各実施の形態の組み合わせによる構成，方法を適用することも可能である。又ネットワークは、図示を簡略化する為にリング状の伝送路を介して３台の交換機等の被監視装置を接続した場合を示すが、各種のネットワーク構成に対しても本発明を適用することができるものである。
【００６５】
又ネットワークに対して、複数種類の監視装置を設けた場合に於いても、フォーマット識別子を識別情報格納部に設定して送受信することにより、正しい表示処理を行うことができる。このフォーマット識別子は、通知種別，装置版数，ソフトウェア版数等の情報のフォーマットを示す内容であれば、各種のものを適用することができる。又それに対応して、監視装置及び被監視装置に於ける制御，更新等の処理を行う構成とすることになる。
【００６６】
【発明の効果】
以上説明したように、本発明は、監視装置と被監視装置との間で送受信する情報に、フォーマット識別子を設定する識別情報格納部を形成したことにより、版数等が異なる被監視装置や監視装置が含まれている場合でも、収集した情報を正しく処理して表示することが可能となり、又コマンド実行結果の情報を、要求されているフォーマットして送出することが可能となる。即ち、各種の監視装置及び被監視装置が混在しているネットワークに於いても、監視装置に於ける監視を正しく実行することが可能となる利点がある。
【００６７】
又被監視装置は、監視装置からのコマンドを実行し、実行結果情報を監視装置に送出する時、自被監視装置のフォーマット識別子を付加して送出することにより、監視装置は、そのフォーマット識別子を基に表示処理を行うことができる。又監視装置からのコマンドにフォーマット識別子を設定した場合、被監視装置は、コマンドの実行結果情報を、そのフォーマット識別子に従ったフォーマットとして監視装置へ送出することができる。即ち、監視装置からの要求に従ったフォーマットの実行結果情報を監視装置へ送出することになる。この場合、監視装置の処理が簡単となる。
【００６８】
又監視装置からのコマンドを実行できない被監視装置に於いては、自装置で実行できるコマンドのフォーマット識別子を設定した応答情報を監視装置へ送出することにより、自装置で実行可能のコマンド形式を監視装置へ通知することができる。この場合、監視装置から被監視装置で確実に実行可能のコマンドを形成して送出することが可能となる。
【００６９】
従って、各種の被監視装置が混在する大規模ネットワークに於いて、各種の監視装置によって各種の被監視装置を監視する場合でも、被監視装置の状態情報を収集した監視装置に於いて正しく表示処理を行うことが可能となり、監視システムの信頼性を経済的に向上することができる利点がある。
【図面の簡単な説明】
【図１】本発明の実施の形態の説明図である。
【図２】本発明の実施の形態の状態情報及びコマンドのフォーマットの説明図である。
【図３】本発明の実施の形態のコマンド処理の説明図である。
【図４】本発明の他の実施の形態のコマンド処理の説明図である。
【図５】本発明の更に他の実施の形態のコマンド処理の説明図である。
【図６】本発明の実施の形態のフォーマットの説明図である。
【図７】本発明の実施の形態のフォーマットの説明図である。
【図８】本発明の実施の形態のフォーマットの説明図である。
【図９】本発明の実施の形態の監視装置の説明図である。
【図１０】本発明の実施の形態の表示処理部判断テーブルの説明図である。
【図１１】本発明の実施の形態の被監視装置の説明図である。
【図１２】本発明の実施の形態の監視装置の表示処理のフローチャートである。
【図１３】本発明の実施の形態の通知種別を含む通知情報の表示処理フローチャートである。
【図１４】本発明の他の実施の形態の被監視装置の説明図である。
【図１５】本発明の他の実施の形態の被監視装置のコマンド処理フローチャートである。
【図１６】本発明の他の実施の形態の被監視装置のコマンド処理フローチャートである。
【図１７】従来例の監視システムの説明図である。
【図１８】従来例の監視システムのコマンドの説明図である。
【符号の説明】
１  監視装置
１ａ  表示画面
２−１〜２−３  被監視装置
３  伝送路
【図１】
0003663571.tif 000002
【図２】
0003663571.tif 000003
【図３】
0003663571.tif 000004
【図４】
0003663571.tif 000005
【図５】
0003663571.tif 000006
【図６】
0003663571.tif 000007
【図７】
0003663571.tif 000008
【図８】
0003663571.tif 000009
【図９】
0003663571.tif 000010
【図１０】
0003663571.tif 000011
【図１１】
0003663571.tif 000012
【図１２】
0003663571.tif 000013
【図１３】
0003663571.tif 000014
【図１４】
0003663571.tif 000015
【図１５】
0003663571.tif 000016
【図１６】
0003663571.tif 000017
【図１７】
0003663571.tif 000018
【図１８】
0003663571.tif 000019